(57)【要約】【課題】傘立てに装着し、通常の傘立て用として使用できると共にミニ傘を収容できるようにする。【解決手段】前後及び左右の枠杆５１ａ…５１ｂで四角形状に形成した枠５１に、仕切り杆５３，５４を格子状に架設した上部枠体５を備えた傘立てに装着して使用する折り畳み傘用ポケット容器であって、上端を開口すると共に底部材を有する略四角形の箱形に形成し、ミニ傘を折り畳んで収容する容器本体１を設け、本体１の対向側壁部材１１ａ，１１ｂの上端に外方へ突出するフック部２，３を設ける。容器本体１を上部枠体５の格子状の仕切り空間部５５に嵌入し、一方のフック部を枠杆５１ａに係合すると共に他方のフック部２を仕切り杆５３に係合して支持させ、傘立てに装着する。【選択図】図１
2006129901.tif 000002
【特許請求の範囲】
【請求項１】
前後の枠杆と左右の枠杆とで四角形状に形成した枠に仕切り杆を、前記枠の前後及び左右方向に向けて格子状に設けてなる上部枠体を備え、前記仕切り杆で形成された各仕切り空間部に傘を挿入して立てるように構成した傘立てに装着して使用する折り畳み傘用ポケット容器であって、
上端を開口すると共に下端に底部材を有する略四角形の箱形に形成し、ミニ傘を折り畳んで収容する容器本体と、この容器本体の対向側壁部材の上端に、前記容器本体の外方へ突出させて設けたフック部とを備え、
前記容器本体は傘立ての前記格子状の仕切り空間部に嵌入する大きさに形成され、
前記両フック部を前記上部枠体の前記枠杆又は前記仕切り杆に着脱自在に係合して支持させ、傘立てに装着するように構成したことを特徴とする、
折り畳み傘用ポケット容器。
【請求項２】
前記一方のフック部を前記枠体に係脱可能に係合させると共に他方のフック部を前記仕切り杆に着脱自在に係合して支持させ、傘立てに装着するように構成したことを特徴とする、請求項１に記載の折り畳み傘用ポケット容器。
【請求項３】
前記底部材に水抜き手段が設けてあることを特徴とする、請求項１又は２に記載の折り畳み傘用ポケット容器。
【請求項４】
前記容器本体は逆角錐台形状に形成されていることを特徴とする、請求項１ないし３のいずれか１項に記載の折り畳み傘用ポケット容器。
【請求項５】
前記両フック部は下端部側を開放した略半円形状に形成されていることを特徴とする、請求項１ないし４のいずれか１項に記載の折り畳み傘用ポケット容器。
【請求項６】
前記両フック部のうち、少なくとも一方のフック部は、このフック部を設けた側壁部材の巾の略半分程度の巾に形成されていると共に前記側壁部材の略中央部から片側半分の部位に位置させて設けてあることを特徴とする、請求項１ないし５のいずれか１項に記載の折り畳み傘用ポケット容器。
【発明の詳細な説明】
【技術分野】
【０００１】
本発明は傘立てに装着して使用する折り畳み傘用ポケット容器、さらに詳しくは三つ折りや四つ折り等の折り畳み傘（ミニ傘）を収容する折り畳み傘用ポケット容器に関するものである。
【背景技術】
【０００２】
従来の傘立てとして、例えば図６に示すものが一般に採用されている。この傘立て１００は、上部枠体５と、下部枠体６と、両枠体５，６を支持して立設する４本のスタンド杆７…７とを備えている。
【０００３】
前記上部枠体５は、前後の枠杆５１ａ，５１ｂと左右の枠杆５１ｃ，５１ｄとをそれぞれ両端において連結金具５２…５２を介して連結し、所望の巾及び長さの四角形状に形成した枠５１を備える。そして、前記枠５１に任意数の仕切り杆５３及び５４を、枠５１の前後及び左右方向に向けて格子状に架設して構成されている。
【０００４】
上記構成により、上部枠体５には前記仕切り杆５３及び５４により仕切られた略同じ長さ大きさの仕切り空間部５５が形成されている。なお、図示の上部枠体５の枠杆５１ａ，５１ｂ、仕切り杆５３及び５４は金属製のパイプ材で構成されているが、パイプ材以外の素材で構成されているものもある。
【０００５】
前記上部枠体５は各連結部材５２を介して各スタンド杆７の上端に固定して連結し、各スタンド杆７で支持されている。
【０００６】
前記下部枠体６は上部枠体５と対応する大きさ及び形状に形成され、四隅部をそれぞれスタンド杆７の下端部近くに固定して設けてある。前記下部枠体６には傘８の雨水を受ける水受皿（図示せず）を取外し可能に戴置して設けてある。図６において、９は各スタンド杆７の下端に延長して設けた脚台杆を示す。
【０００７】
図６に示す傘立て１００は上記のように構成し、各仕切り空間部５５へ挿入した傘８を下部枠体６及び上部枠体５で支持させ、図６（ａ）に仮想線で示すように、傘を立てるものである。上記傘立ては通常の傘、即ち、折り畳み式でない傘用に構成されており、この傘立てが一般に採用されている（例えば、特許文献１参照）。なお、前記各空間部５５は、それぞれ任意数（例えば３本ないし６本程度）の傘を挿入できる大きさに形成されている。
【０００８】
上記したように、一般の傘立ては通常の傘用に製造されているが、折り畳み式の傘であっても、二つ折りの折り畳み傘は、柄を伸長した状態であれば、ぎりぎりではあるが、一応立てて使用することが可能に構成されている。
しかしながら、三つ折り（三段式）や四つ折り（四段式）等のように三つ折り以上の折り畳み傘（ミニ傘）の場合には、柄が短いため、上記傘立てに立てることができない。
【０００９】
したがって、ミニ傘を上記傘立てに入れると、倒れてほかの傘に絡まったり、或いは傘の留め帯の係着部が外れて傘が開き、まとまりがつかなくなる等の問題が生じる。そのため、ミニ傘の場合には、上記傘立てに入れないで、折り畳んでかばんに入れ、或いはそのまま携帯する等の方法が一般に行われている。
上記したように、一般に採用されている傘立ては、ミニ傘には使用できないため、ミニ傘の利用者にとっては不便である問題を有している。
【特許文献１】特開平８−１４０８１５号公報
【発明の開示】
【発明が解決しようとする課題】
【００１０】
本発明は上記のような実情に鑑みてなされたもので、傘立てに装着し、従来と同様に通常の傘立て用として使用できると共に、ミニ傘を整然と収容できる折り畳み傘用ポケット容器を提供することを目的とするものである。
【課題を解決するための手段】
【００１１】
上記目的を達成するため、本発明は、前後の枠杆と左右の枠杆とで四角形状に形成した枠に仕切り杆を、前記枠の前後及び左右方向に向けて格子状に設けてなる上部枠体を備え、前記仕切り杆で形成された各仕切り空間部に傘を挿入して立てるように構成した傘立てに装着して使用する折り畳み傘用ポケット容器であって、上端を開口すると共に下端に底部材を有する略四角形の箱形に形成し、ミニ傘を折り畳んで収容する容器本体と、この容器本体の対向側壁部材の上端に、前記容器本体の外方へ突出させて設けたフック部とを備え、前記容器本体は傘立ての前記格子状の仕切り空間部に嵌入する大きさに形成され、前記両フック部を前記上部枠体の前記枠杆又は前記仕切り杆に係脱自在に係合して支持させ、傘立てに装着するように構成したことを特徴とするものである。
なお、この明細書において「ミニ傘」とは、三つ折り（三段式）や四つ折り（四段式）等のように、三つ折り以上に折り畳める折り畳み傘を意味する用語として用いられている。
【００１２】
上記構成の折り畳み傘用ポケット容器を傘立てに装着することにより、ミニ傘をポケット容器に整然と収容できる。また、通常の傘は従来と同様に傘立てに立てることができる。
【００１３】
本発明において、容器本体の対向側壁部材及び底部材は、板材或いは格子状や網状の部材で構成することができる。なお、底部材を板材で構成した場合には、水抜き孔を開設する構成を採用することができる。
【００１４】
本発明において、前記一方のフック部を前記枠杆に係脱自在に係合させると共に他方のフック部を前記仕切り杆に係脱自在に係合して支持させ、傘立てに装着するように形成した構成を採用することができる。また、容器本体は逆角錐台形状に形成した構成を採用することができる。
【００１５】
本発明において、前記両フック部は下端部側を開放した略半円形状に形成した構成を採用することができる。なお、前記両フック部の形状は上記以外の形状に構成することも可能である。
【００１６】
また、本発明において、前記両フック部のうち、少なくとも一方のフック部は、このフック部を設けた側壁部材の巾の略半分程度の巾に形成されていると共に前記側壁部材の略中央部から片側半分の部位に位置させて設けた構成を採用することができる。なお、前記両フック部は前記以外の構成に変更することも勿論可能である。
【発明の効果】
【００１７】
本発明によれば、傘立てを従来と同様に通常の傘の傘立て用として使用することができると共に、ミニ傘を整然と収容することができる。また、傘立てを通常の傘とミニ傘の両方に併用できるので、傘立ての付加価値を向上できる。
【発明を実施するための最良の形態】
【００１８】
以下、図面を参照して本発明の実施の形態の一例を説明する。
【００１９】
図１は本発明の折り畳み傘用ポケット容器の一実施の形態の（実施の形態１）を示すもので、同図（ａ）は斜視図、同図（ｂ）は使用状態を示す縦断面図、図２は同上ポケット容器を傘立てに装着した状態を示す平面側から見た説明図、図３は同上ポケット容器を傘立てに装着して使用する状態を示す傘立ての正面図（ａ）と平面図（ｂ）である。なお、実施の形態１において、傘立て１００は図６に示す傘立て１００と同一構成であるため、同一符号を付して説明は省略する。
【００２０】
上記図１ないし図３において、この実施の形態の折り畳み傘用ポケット容器２００は、傘立て１００に装着して使用するものであって、ミニ傘４を折り畳んで収容する容器本体１と、この容器本体１に設けたフック部２及び３とを備えている。
【００２１】
前記容器本体１は、一対の対向側壁部材１１ａ，１１ｂ及び１１ｃ，１１ｄで略角筒状に形成した胴部１１の上端を開口１２すると共に下端に底部材１３を有する略四角形の箱形に形成されている。実施の形態１の容器本体１は底部材１３側が巾狭となるようにテーパーを付した逆角錐台形状に形成されている。
また、実施の形態１の容器本体１の対向側壁部材１１ａ…１１ｄ及び底部材１３は板材で構成され、底部材１３に水抜き孔１４を開設した構成を採用している。この場合、対向側壁部材１１ａ…１１ｄ又は／及び底部材１３は適当な目の大きさの格子状や網状の部材等で構成する等、任意に変更し得るものである。なお、上記の点に関しては、後述する各実施の形態においても同様である。
【００２２】
容器本体１は、ミニ傘４を任意数（図示では２本又は３本）収容できる大きさに形成されている。但し、収容本数は上記に限定するものではない。また、容器本体は、傘立て１００の上部枠体５に形成された格子状の仕切り空間部５５に嵌入する大きさに形成されている。実施の形態１の容器本体１は１つの仕切り空間部５５に２個嵌入できる大きさに形成されている（図２，図３参照）。
【００２３】
前記両フック部２，３はポッケット容器２００を傘立ての上部枠体５に支持させて装着するものである。前記両フック部２，３は容器本体１の対向側壁部材１１ａ，１１ｂ又は１１ｃ，１１ｄの上端に、容器本体１の外方へ突出させて設けられる。実施の形態１では、一方のフック部２を側壁部材１１ａの上端に設けると共に他方のフック部３を側壁部材１１ｂの上端に設けてある。
【００２４】
実施の形態１の一方のフック部２は、下端部側を開放２１してあると共に上部枠体５の前後の枠杆５１ａ、５１ｂ（両杆５１ａと５１ｂは同径）にフィットして嵌合（係合）するように、前記枠杆５１ａ，５１ｂの太さに対応するサイズの略半円形状に形成してある。
また、他方のフック部３は、フック部２と同様に下端部側を開放３１すると共に上部枠体５の仕切り杆５３にフィットして嵌合（係合）するように、前記杆５３の太さに対応するサイズの略半円形状に形成してある。そして、一方のフック部２を前記枠杆５１ａ又は５１ｂに係脱可能に係合すると共に他方のフック部３を仕切り杆５３に係脱可能に係合してポケット容器２００を傘立て１００の上部枠体５に装着して使用するように構成してある。
【００２５】
前記容器本体１及び両フック部２，３の素材は特に限定するものではないが、例えば、プラスチックや金属材等で構成することができる。実施の形態１の容器本体１及び両フック部２，３はプラスチックで一体形成してある。
この場合、両フック部２，３は容器本体１に強力接着剤等で接着し、或いはビス止め等により固着する等、図示以外の構成を採用することもできる。なお、上記の点に関しては、後述する各実施の形態についても同様である。
【００２６】
実施の形態１の一方のフック部２は、前記側壁部材１１ａの巾と略同一又は幾分巾狭に形成されている。また、他方のフック部３は前記側壁部材１１ｂの巾（なお、側壁部材１１ａと１１ｂは同巾）の略半分程度の巾に形成されていると共に前記側壁部材１１ｂの略中央部から片側半分の部位に位置させて設けてある。
実施の形態１の構成を採用すると、図２に示すように、２個のポケット容器２００を傘立ての上部枠体５に直列に装着することができる。
【００２７】
実施の形態１において、図１（ａ）に示すミニ傘４は折り畳んだ状態が開示されている。図１（ａ）において、４１は傘４に設けた留め帯、４２は傘の骨を示すものである。
【００２８】
実施の形態１のポッケット容器は上記のように構成し、一方のフック部２を前記枠杆５１ａ又は５１ｂに係合すると共に他方のフック部３を仕切り杆５３に係合して傘立てに装着し、使用するものである。これにより、ミニ傘４をポッケット容器２００に整然と収容できる。また、通常の傘８は従来と同様に傘立て１００に立てることができる。
【００２９】
図４は本発明の折り畳み傘用ポケット容器の他の実施の形態（実施の形態２）を示す平面図である。なお、実施の形態２において、実施の形態１で既に説明した構成と共通する部分には同一符号を付し、説明は省略する。実施の形態２はフック部の構成に特徴がある。
【００３０】
即ち、実施の形態２の折り畳み傘用ポケット容器３００は、一方のフック部２は実施の形態１の一方のフック部２と同様に構成されている。また、他方のフック部３Ａは実施の形態１のフック部３の略二倍の巾、即ち、前記一方のフック部２と同巾に形成されている。他の構成は実施の形態１と同様である。
【００３１】
実施の形態２のポケット容器３００は上記のように構成し、実施の形態１と同様に傘立て１００に装着して使用するものである。これにより、実施の形態１と同様の作用効果を奏する。
【００３２】
図５は本発明の折り畳み傘用ポケット容器のさらに他の実施の形態（実施の形態３）を示す平面図である。実施の形態３において、実施の形態１で既に説明した構成と共通する部分には同一符号を付して説明は省略する。実施の形態３もフック部の構成に特徴がある。
【００３３】
即ち、実施の形態３の折り畳み傘用ポケット容器４００は、一方のフック部２Ａは前記側壁部材１１ａの巾の略半分程度の巾に形成されていると共に前記側壁部材１１ａの略中央部から片側半分（図５において上半部）の部位に位置させて設けてある。また、他方のフック部３Ｂも実施の形態１のフック部３と同様に前記側壁部材１１ｂの巾の略半分程度の巾に形成されていると共に前記側壁部材１１ｂの略中央部から片側半分（図５において下半部）の部位に位置させて設けてある。他の構成は実施の形態１と同様である。
【００３４】
実施の形態３のポケット容器４００は上記のように構成し、実施の形態１と同様に傘立て１００に装着して使用するものである。これにより、実施の形態１と同様の作用効果を奏する。
【００３５】
なお、上記各実施の形態では、一方及び他方のフック部２，２Ａ及び３，３Ａ，３Ｂを略半円形状に構成した例を開示したが、例えば、Ｕ字形その他の形状に構成する等、任意に変更可能なものである。要は傘立ての上部枠体の所定部に係合してポケット容器を支持させて装着できるように構成すればよいものである。
【００３６】
また、上記した各実施の形態は一例として開示したもので、本発明は上記の実施の形態に限定されるものではなく、特許請求の範囲に記載の技術思想を越脱しない範囲内において任意に変更可能なものである。
【図面の簡単な説明】
【００３７】
【図１】本発明の折り畳み傘用ポケット容器の一実施の形態を示すもので、同図（ａ）は斜視図、同図（ｂ）は縦断面図であって、使用状態を示す図である。
【図２】同上ポケット容器を傘立てに装着した状態を示す平面側から見た説明図である。
【図３】同上ポケット容器を傘立てに装着して使用する状態を示す傘立ての正面図（ａ）と平面図（ｂ）である。
【図４】本発明の折り畳み傘用ポケット容器の他の実施の形態を示す平面図である。
【図５】本発明の折り畳み傘用ポケット容器のさらに他の実施の形態を示す平面図である。
【図６】一般に採用されている傘立てを示す正面図（ａ）と平面図（ｂ）である。
【符号の説明】
【００３８】
１                容器本体
２                フック部
３                フック部
４                ミニ傘
５                上部枠体
１１ａ，１１ｂ    対向側壁部材
５１ａ…５１ｄ    枠杆
５３，５４        仕切り杆
５５              仕切り空間部
【図１】
2006129901.tif 000003
【図２】
2006129901.tif 000004
【図３】
2006129901.tif 000005
【図４】
2006129901.tif 000006
【図５】
2006129901.tif 000007
【図６】
2006129901.tif 000008